【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
複数のキャパシタユニットに基づいて生成された第２信号の関数として、前記第２信号の周波数を安定化させるべく前記複数のキャパシタユニットのうちの第１キャパシタユニットを制御するのに使用される第１信号を生成する検出器モジュールと、
前記第１信号を所定の範囲に維持するために前記複数のキャパシタユニットのうちの第２キャパシタユニットの容量を変化させるべく前記第２キャパシタユニットを制御するのに使用される第３信号を、前記第１信号に基づいて生成し、前記第１信号が前記所定の範囲から外れた場合に生成された第５信号に応答してカウンタのカウントを行うことにより第４信号を生成するランプモジュールと
を備える装置。
【請求項２】
前記複数のキャパシタユニットを有し、前記第１キャパシタユニット及び前記第２キャパシタユニットの容量に基づく前記周波数を有する前記第２信号を生成する発振器
を更に備える請求項１に記載の装置。
【請求項３】
前記カウンタが、前記第５信号に応答してカウントを行うことにより、前記第４信号を生成する
請求項１又は２に記載の装置。
【請求項４】
前記ランプモジュールは、
前記第１信号を監視し、前記第１信号が前記所定の範囲を外れた場合に前記第５信号を生成する監視部
を有する請求項１から３のいずれか一項に記載の装置。
【請求項５】
前記ランプモジュールは、
前記第５信号に応答して前記第３信号を生成するランプ制御部
を有する請求項１から４のいずれか一項に記載の装置。
【請求項６】
前記ランプ制御部は、
前記第４信号を前記第３信号へと変換するデジタル／アナログコンバータ（ＤＡＣ）
を含む請求項５に記載の装置。
【請求項７】
前記ランプモジュールは、前記第１信号が前記所定の範囲から外れた場合に、前記第３信号を生成する
請求項１から４のいずれか一項に記載の装置。
【請求項８】
前記ランプモジュールは、前記第２キャパシタユニットの前記容量を漸次減少又は漸次増加させる前記第３信号を生成する
請求項１から７のいずれか一項に記載の装置。
【請求項９】
前記ランプモジュールは、前記第１信号が前記所定の範囲の上限を上回った場合に、前記第２キャパシタユニットの前記容量を漸次減少させる前記第３信号を生成する
請求項８に記載の装置。
【請求項１０】
前記ランプモジュールは、前記第１信号が前記所定の範囲の下限を下回った場合に、前記第２キャパシタユニットの前記容量を漸次増加させる前記第３信号を生成する
請求項８又は９に記載の装置。
【請求項１１】
ドリフト補償を行う方法であって、
複数のキャパシタユニットに基づいて生成された第２信号の関数として、前記第２信号の周波数を安定化させるべく前記複数のキャパシタユニットのうちの第１キャパシタユニットを制御するのに使用される第１信号を生成する段階と、
前記第１信号を所定の範囲に維持するために前記複数のキャパシタユニットのうちの第２キャパシタユニットの容量を変化させるべく前記第２キャパシタユニットを制御するのに使用される第３信号を、前記第１信号に基づいて生成し、前記第１信号が前記所定の範囲から外れた場合に生成された第５信号に応答してカウンタのカウントを行うことにより第４信号を生成する段階と
を備える方法。
【請求項１２】
前記第１キャパシタユニット及び前記第２キャパシタユニットの容量に基づく前記周波数を有する前記第２信号を、発振器によって生成する段階
を更に備える請求項１１に記載の方法。
【請求項１３】
前記カウンタが、前記第５信号に応答してカウントを行うことにより、前記第４信号を生成する
請求項１１又は１２に記載の方法。
【請求項１４】
前記第１信号を監視し、前記第１信号が前記所定の範囲を外れた場合に前記第５信号を生成する段階
を更に備える請求項１１から１３のいずれか一項に記載の方法。
【請求項１５】
前記第５信号に応答して前記第３信号を生成する段階
を更に備える請求項１１から１４のいずれか一項に記載の方法。
【請求項１６】
デジタル／アナログコンバータ（ＤＡＣ）によって、前記第４信号を前記第３信号へと変換する段階
を更に備える請求項１１から１５のいずれか一項に記載の方法。
【請求項１７】
前記第１信号が前記所定の範囲から外れた場合に、前記第３信号を生成する段階
を更に備える請求項１１から１４のいずれか一項に記載の方法。
【請求項１８】
前記第２キャパシタユニットの前記容量を漸次減少又は漸次増加させる前記第３信号を生成する段階
を更に備える請求項１１から１７のいずれか一項に記載の方法。
【請求項１９】
前記第１信号が前記所定の範囲の上限を上回った場合に、前記第２キャパシタユニットの前記容量を漸次減少させる前記第３信号を生成する段階
を更に備える請求項１８に記載の方法。
【請求項２０】
前記第１信号が前記所定の範囲の下限を下回った場合に、前記第２キャパシタユニットの前記容量を漸次増加させる前記第３信号を生成する段階
を更に備える請求項１８又は１９に記載の方法。
【手続補正２】
【補正対象書類名】明細書
【補正対象項目名】００６０
【補正方法】変更
【補正の内容】
【００６０】
本発明が、例示された特定の実施形態に関連付けて説明されたが、数多くの改良、変更、変形が当業者にとって明らかである。したがって、本明細書に記載された本発明の実施形態は例示に過ぎず、限定することを意図していない。本発明の範囲から逸脱することなく、変更が可能である。
［項目１］
第１キャパシタユニット及び第２キャパシタユニットを有し、前記第１キャパシタユニットの第１容量及び前記第２キャパシタユニットの第２容量に基づく周波数を有する発振信号を生成する電圧制御発振器（ＶＣＯ）と、
前記発振信号の前記周波数を安定化させるべく前記第１キャパシタユニットを制御するのに使用される電圧信号を、前記発振信号及び基準信号の関数として生成する検出器モジュールと、
前記電圧信号を所定の範囲に維持するべく、前記第２容量を第１の値から第２の値へと変化させるべく前記第２キャパシタユニットを制御するのに使用されるランプ信号を、前記電圧信号に基づいて生成するランプモジュールと
を備える装置。
［項目２］
前記ランプモジュールは、前記電圧信号が前記所定の範囲から外れた場合に、前記ランプ信号を生成する項目１に記載の装置。
［項目３］
前記ランプモジュールは、前記電圧信号が前記所定の範囲の上限を上回った場合に前記第２容量を漸次減少させ、前記電圧信号が前記所定の範囲の下限を下回った場合に前記第２容量を漸次増加させる前記ランプ信号を生成する項目２に記載の装置。
［項目４］
前記ランプモジュールは更に、
前記電圧信号を監視し、前記電圧信号が前記所定の範囲を外れた場合にトリガ信号を生成する監視部と、
前記トリガ信号に応答して前記ランプ信号を生成するランプ制御部と
を有する項目２に記載の装置。
［項目５］
前記ランプ制御部は更に、
前記トリガ信号に応答してカウントを行うことによりデジタルランプ信号を生成するカウンタと、
前記デジタルランプ信号を前記ランプ信号へと変換するデジタル／アナログコンバータ（ＤＡＣ）とを含む項目４に記載の装置。
［項目６］
前記ランプ制御部は更に、
前記トリガ信号に応答してカウントを行うことによりデジタルランプ信号を生成するカウンタと、
前記デジタルランプ信号に基づいて変調されるパルスストリームを生成するシグマ−デルタ変調器と
を含む項目４に記載の装置。
［項目７］
前記第２キャパシタユニットは、少なくとも１つのキャパシタを含み、
前記ランプ信号は、前記キャパシタの制御電圧を第１電圧から第２電圧へと変化させるのに使用される項目１に記載の装置。
［項目８］
安定状態とランプ状態との間で前記制御電圧を切り替えるスイッチを更に備える項目７に記載の装置。
［項目９］
前記キャパシタは、接合型ダイオードキャパシタ及び金属酸化膜半導体（ＭＯＳ）キャパシタのうちの少なくとも１つである項目７に記載の装置。
［項目１０］
前記検出器モジュールは更に、
前記発振信号を分周する分周器と、
分周された前記発振信号と前記基準信号との間の位相誤差を検出する位相検出器と、
前記位相誤差に基づいて前記電圧信号を生成するループフィルタと
を有する項目１に記載の装置。
［項目１１］
ドリフト補償を行う方法であって、
第１キャパシタユニットの第１容量及び第２キャパシタユニットの第２容量に基づいて発振信号を生成する段階と、
前記発振信号及び基準信号の関数として電圧信号を生成する段階と、
前記発振信号の周波数を安定化させるべく、前記電圧信号に基づいて前記第１キャパシタユニットの前記第１容量を制御する段階と、
前記電圧信号が所定の範囲を外れた場合に、前記電圧信号を前記所定の範囲内に収めるべく、前記第２キャパシタユニットの前記第２容量を第１の値から第２の値へと変化させる段階と
を備える方法。
［項目１２］
前記電圧信号が前記所定の範囲を外れた場合に、前記第２キャパシタユニットの前記第２容量を前記第１の値から前記第２の値へと変化させる段階は、
前記電圧信号が前記所定の範囲の上限を上回る場合には、前記第２容量を漸次減少させる段階と、
前記電圧信号が前記所定の範囲の下限を下回る場合には、前記第２容量を漸次増加させる段階と
を含む項目１１に記載の方法。
［項目１３］
前記電圧信号が前記所定の範囲を外れた場合に、前記第２キャパシタユニットの前記第２容量を前記第１の値から前記第２の値へと変化させる段階は、
前記第２キャパシタユニットにおけるキャパシタの制御電圧を、第１電圧から第２電圧へと、又は、前記第２電圧から前記第１電圧へと変化させる段階を含む項目１１に記載の方法。
［項目１４］
前記キャパシタの前記制御電圧を、安定状態からランプ状態へと切り替える段階を更に備え、
前記ランプ状態では、前記第１電圧から前記第２電圧へと、又は、前記第２電圧から前記第１電圧へと前記制御電圧を変化させる項目１３に記載の方法。
［項目１５］
接合型ダイオードキャパシタ及び金属酸化膜半導体（ＭＯＳ）キャパシタのうちの少なくとも１つの前記制御電圧を変化させる段階を更に備える項目１３に記載の方法。
［項目１６］
前記電圧信号を監視する段階と、
前記電圧信号が前記所定の範囲を外れた場合に、トリガ信号を生成する段階と、
前記トリガ信号に応答して、ランプ信号を生成する段階と
を更に備える項目１１に記載の方法。
［項目１７］
前記トリガ信号に応答して、前記ランプ信号を生成する段階は更に、
前記トリガ信号に応答してカウントを行うことにより、デジタルランプ信号を生成する段階と、
前記デジタルランプ信号をランプ信号にデジタル−アナログ変換する段階と
を含む項目１６に記載の方法。
［項目１８］
前記トリガ信号に応答して、前記ランプ信号を生成する段階は更に、
前記トリガ信号に応答してカウントを行うことにより、デジタルランプ信号を生成する段階と、
前記デジタルランプ信号に基づいて変調されるパルスストリームを生成する段階と
を含む項目１６に記載の方法。
［項目１９］
前記発振信号及び前記基準信号の関数として前記電圧信号を生成する段階は更に、
前記発振信号を分周する段階と、
分周された前記発振信号と前記基準信号との間の位相誤差を検出する段階と、
前記位相誤差に基づいて前記電圧信号を生成する段階と
を有する項目１１に記載の方法。
［項目２０］
発振信号を生成するための位相同期回路（ＰＬＬ）を備える電子システムであって、
前記ＰＬＬは、
第１キャパシタユニット及び第２キャパシタユニットを有し、前記第１キャパシタユニットの第１容量及び前記第２キャパシタユニットの第２容量に基づく周波数を有する発振信号を生成する電圧制御発振器（ＶＣＯ）と、
前記発振信号の前記周波数を安定化させるべく前記第１キャパシタユニットを制御するのに使用される電圧信号を、前記発振信号及び基準信号の関数として生成する検出器モジュールと、
前記電圧信号を所定の範囲に維持するべく、前記第２容量を第１の値から第２の値へと変化させるべく前記第２キャパシタユニットを制御するのに使用されるランプ信号を、前記電圧信号に基づいて生成するランプモジュールと、
前記発振信号に基づいて動作する送受信機と
を有する電子システム。